(57)【特許請求の範囲】
【請求項１】
着用者の頭部に対して１つまたは複数のイヤホンを保つためのヘッドバンドであって、
イヤホンを支持するスライダと、
全体的に管状のクッション組立品であって、内側および外側を有し、前記全体的に管状のクッション組立品は、少なくとも長手方向において可撓性であるように構築され配列され、前記全体的に管状のクッション組立品が、内側、外側、及び、端部を有する構造管と、前記構造管に被せるための連続した管状の可撓性カバーと、を備え、前記連続した管状の可撓性カバーが、張力状態で保持され、かつ、前記クッション組立品の外側の少なくとも一部を画定し、前記連続した管状の可撓性カバーが、前記構造管の内側内に配置される係合部分を有し、前記連続した管状の可撓性カバーの両端が、前記連続した管状の可撓性カバーの本体が前記構造管に対して自由に移動できる一方で、前記構造管に対して所定位置に保持され、前記連続した管状の可撓性カバーが、前記構造管の前記端部の少なくとも一部の上に配置される、全体的に管状のクッション組立品と、
少なくとも部分的に前記構造管の内側に配置されるリングであって、前記連続した管状の可撓性カバーの係合部分が、前記リングと前記構造管の内面との間に配置され、前記リングが、前記構造管の前記端部のちょうど外側に配置される面を備え、前記連続した管状の可撓性カバーが、前記リングの前記面と前記構造管の前記端部との間に配置される、リングと、
を備え、
前記クッション組立品は、前記スライダと前記クッション組立品との間の相対移動を可能にするように前記スライダと係合され、前記スライダは、少なくとも部分的に前記クッション組立品の内側に配置される、ヘッドバンド。
【請求項２】
前記構造管の内側から内部に突き出る複数の突起物と、前記リング内の複数の開口と、をさらに備え、前記複数の開口が、前記複数の突起物を受容するように構築され配列される、請求項１に記載のヘッドバンド。
【請求項３】
前記連続した管状の可撓性カバーの係合部分が前記連続した管状の可撓性カバーの端部である、請求項１に記載のヘッドバンド。
【請求項４】
前記連続した管状の可撓性カバーが、前記クッション組立品の外側全体を覆う、請求項１に記載のヘッドバンド。
【請求項５】
前記連続した管状の可撓性カバーが４方向伸縮織物を備える、請求項１に記載のヘッドバンド。
【請求項６】
着用者の頭部に対してイヤホンを保つためのヘッドバンドであって、
２つのスライダであって、各スライダがイヤホンを支持する、２つのスライダと、
内側および外側を有する全体的に管状のクッション組立品であって、前記全体的に管状のクッション組立品は、少なくとも長手方向において可撓性であるように構築され配列され、前記全体的に管状のクッション組立品が、内側及び外側を有する構造管と、４方向伸縮織物を備える前記構造管に被せるための連続した管状の可撓性カバーと、を備え、前記連続した管状の可撓性カバーが、張力状態で保持され、かつ、前記クッション組立品の外側の少なくとも一部分を画定し、前記連続した管状の可撓性カバーが、第１及び第２の係合部分を有し、前記第１の係合部分が、前記構造管の第１の端部の内側に配置され、前記第２の係合部分が、対向する、前記構造管の第２の端部の内側に配置され、前記連続した管状の可撓性カバーの両端部が、前記構造管に対して所定位置に保持され、その一方で、前記連続した管状の可撓性カバーの本体が、前記構造管に対して自由に移動でき、前記全体的に管状のクッション組立品が、第１及び第２の保持リングをさらに備え、第１の保持リングが、少なくとも部分的に前記構造管の前記第１の端部の内側に配置され、かつ、第２の保持リングが、少なくとも部分的に前記構造管の前記第２の端部の内側に配置され、前記連続した管状の可撓性カバーの第１の係合部分が、前記第１の保持リングと前記構造管の前記第１の端部の内側との間に配置され、前記連続した管状の可撓性カバーの第２の係合部分が、前記第２の保持リングと前記構造管の前記第２の端部の内側との間に配置される、クッション組立品と、
前記第１及び第２の保持リングそれぞれの中の第１及び第２の複数の開口と、前記構造管の前記第１及び第２の端部のそれぞれに近接する前記構造管の内面上に配置される第１及び第２の複数の突起物と、であって、前記第１及び第２の保持リングそれぞれの中の前記第１及び第２の複数の開口が、前記第１及び第２の保持リングそれぞれが固定される前記構造管のそれぞれの端部において前記構造管の前記第１及び第２の複数の突起物と係合する、第１及び第２の複数の開口及び第１及び第２の複数の突起物と、
を備え、
前記クッション組立品が、前記スライダおよび前記クッション組立品の相対的移動が可能になるように前記スライダに係合され、前記スライダが、前記第１及び第２の保持リングが配置される、前記構造管の前記第１及び第２の端部を通過する、ヘッドバンド。
【請求項７】
前前記第１及び第２の複数の開口の各開口が、前記第１及び第２の複数の突起物それぞれの突起物を受容できるように構築され配列される、請求項６に記載のヘッドバンド。
【請求項８】
前記第１及び第２の保持リングが、前記第１及び第２の保持リングそれぞれが配置される、前記構造管の端部のちょうど外側に配置される面を備え、前記面それぞれが、前記構造管の前記第１及び第２の端部の各端部に重なる、請求項６に記載のヘッドバンド。
【請求項９】
着用者の頭部に対してイヤホンを保つためのヘッドバンドであって、
第１及び第２のスライダであって、前記第１及び第２のスライダの各スライダがイヤホンを支持する第１及び第２のスライダと、
内側および外側ならびに第１及び第２の端部を有する全体的に管状のクッション組立品であって、前記全体的に管状のクッション組立品は、少なくとも長手方向において可撓性であるように構築され配列され、前記全体的に管状のクッション組立品が、第１及び第２の端部を有する構造管と、張力状態で保持され、かつ、前記構造管の周囲に嵌合する、４方向伸縮織物を備える連続した管状の可撓性カバーと、を備え、前記連続した管状の可撓性カバーが、前記構造管の第１及び第２の端部ぞれぞれの内側にそれぞれ配置される第１及び第２の端部を有し、前記連続した管状の可撓性カバーの前記第１及び第２の端部が、前記構造管に対して所定位置に保持され、その一方で、前記連続した管状の可撓性カバーの本体が、前記構造管に対して自由に移動でき、前記クッション組立品が、前記クッション組立品の第１の及び第２の端部それぞれに配置される第１及び第２の単一環状部材をさらに備える、クッション組立品と、
前記連続した管状の可撓性カバーの前記第１及び第２の端部と、前記構造管の前記第１及び第２の端部の内面と、の間に配置される接着剤と、
を備え、
前記クッション組立品が、前記第１及び第２のスライダと前記クッション組立品との間の相対移動を可能にするように前記第１及び第２のスライダと係合し、前記第１及び第２のスライダが、前記クッション組立品の内側の少なくとも一部に配置され、前記第１及び第２のスライダが、前記構造管の前記第１及び第２の端部を通過する、ヘッドバンド。
【発明の詳細な説明】
【技術分野】
【０００１】
本開示は、着用者の頭部に対して１つまたは複数のイヤホンを保つのに使用することができるヘッドバンドに関する。
【背景技術】
【０００２】
ヘッドホンやヘッドセットなどは、着用者の頭部の上に合うヘッドバンドの端部にイヤホンを担持する。頭部の頂上の上に合うヘッドバンドの中央部分は、しばしば、「クッション」または「クッション組立品」と呼ばれるクッション性の平らで細長い管状部分である。クッション組立品は、異なるサイズおよび形状の頭部に合うように屈曲する必要がある。屈曲することにより、クッション組立品のソフトカバーの折り畳みまたはバンチングが生じることがあり、これはその快適さおよび外観を損ねる。
【発明の概要】
【発明が解決しようとする課題】
【０００３】
ヘッドバンドクッション組立品のソフトカバーの折り畳みおよびバンチングは、２次元に伸びることができ、管状クッション組立品の外側上で張力状態に保たれる可撓性カバーを用いて減少させることができる。きれいな外観を提示するために、カバーは、クッション組立品の端部内に折り畳み、管の端部内にはまり、管の内側に対してカバーの端部を押圧するスナップリングを用いて所定の位置に保つことができる。
【課題を解決するための手段】
【０００４】
以下に述べるすべての例および特徴は、任意の技術的に可能なやり方で組み合わせることができる。
【０００５】
一態様において、着用者の頭部に対して１つまたは複数のイヤホンを保つためのヘッドバンドが、イヤホンを支持するスライダと、全体的に管状のクッション組立品であって、内側および外側を有し、スライダおよびクッション組立品の相対的移動が可能になるようにスライダに係合される、クッション組立品とを含み、その場合、スライダは、少なくとも部分的にクッション組立品の内側に配置される。クッション組立品の外側の少なくとも一部を画定する可撓性カバーがあり、その場合、カバーは、クッション組立品の内側に配置される係合部分を有する。保持部材が、少なくとも部分的にクッション組立品の内側に配置され、その場合、カバーの係合部分は、保持部材とクッション組立品の内側との間に配置される。
【０００６】
実施形態は、以下の特徴のうちの１つまたはそれらの組合せを含むことができる。クッション組立品は、端部を有することができ、カバーは、クッション組立品の端部の少なくとも一部の上に配置することができる。保持部材は、リングを備えることができる。リングは、クッション組立品の端部のちょうど外側に配置される面を備えることができる。カバーは、リングの面とクッション組立品の端部との間に配置することができる。ヘッドバンドは、リング内およびクッション組立品の内側上にはめ合い係合機構をさらに備えることができ、その場合、機構は、リングがクッション組立品内に固定されたとき、互いに係合する。はめ合い係合機構は、戻り止め組立品を備えることができる。戻り止め組立品は、クッション組立品の内側から内部に突き出る複数の突起物と、各々突起物を受けるように構築され配列されるリング内の複数の開口とを備えることができる。
【０００７】
実施形態は、上記のおよび／または以下の特徴のうちの１つまたはそれらの任意の組合せを含むことができる。カバーの係合部分はカバーの端部でよい。カバーは、実質的に、クッション組立品の長さのほとんどまたはすべての外側全体を覆うように全体的に管状でよい。ヘッドバンドは、カバーの係合部分とクッション組立品の内側との間に接着剤をさらに備えることができる。クッション組立品は、２つの対向する端部を有することができ、端部のうちの少なくとも一方は、単一環状部分または別個の部材を備えることができる。カバーは、４方向伸縮織物を備えることができる。カバーをクッション組立品上に張力状態で保つことができる。
【０００８】
別の態様において、着用者の頭部に対してイヤホンを保つためのヘッドバンドが、２つのスライダを含み、その場合、各スライダは、イヤホンと、内側および外側ならびに２つの対向する端部を有する全体的に管状のクッション組立品とを支持し、その場合、クッション組立品は、スライダおよびクッション組立品の相対的移動が可能になるようにスライダに係合される。スライダは、少なくとも部分的にクッション組立品の内側に配置される。張力状態に保たれ、クッション組立品の外側の少なくとも一部分を画定する４方向伸縮織物を備える可撓性カバーがあり、その場合、カバーは、各々クッション組立品の内側に配置される２つの端部を有する。２つの保持リングがあり、その場合、一方の保持リングは、クッション組立品の端部のうちの一方において部分的にクッション組立品の内側に配置され、他方の保持リングは、クッション組立品の端部のうちの他方において少なくとも部分的にクッション組立品の内側に配置され、その場合、カバーの端部は、各々保持リングとクッション組立品の内側との間に配置される。各リング内およびクッション組立品の端部の各々に近接したクッション組立品の内側上にはめ合い係合機構があり、その場合、機構は、リングがクッション組立品内に固定されたとき、互いに係合する。
【０００９】
実施形態は、上記のおよび／または以下の特徴のうちの１つまたはそれらの任意の組合せを含むことができる。はめ合い係合機構は、クッション組立品の端部の各々に近接したクッション組立品の内側から内部に突き出る複数の突起物と、各々突起物を受けるように構築され配列される各リング内の複数の開口とを備える戻り止め組立品を備えることができる。カバーは、全体的に管状でよく、実質的に、クッション組立品の外側のすべてを覆うことができる。各リングは、クッション組立品の端部のちょうど外側に配置される面を備えることができる。ヘッドバンドは、カバーの端部とクッション組立品の内側との間に接着剤をさらに備えることができる。クッション組立品の各端部は単一環状部材を備えることができる。
【００１０】
別の態様において、着用者の頭部に対してイヤホンを保つためのヘッドバンドが、２つのスライダを含み、その場合、各スライダは、イヤホンと、内側および外側ならびに２つの対向する端部を有する全体的に管状のクッション組立品とを支持し、クッション組立品の各端部は、単一環状部材を備える。クッション組立品は、スライダおよびクッション組立品の相対的移動が可能になるようにスライダに係合される。スライダは、少なくとも部分的にクッション組立品の内側に配置される。張力状態に保たれ、実質的に、クッション組立品の外側のすべてを画定する４方向伸縮織物を備える全体的に管状の可撓性カバーがあり、その場合、カバーは、各々クッション組立品の内側に配置される２つの端部を有する。接着剤が、カバーの端部とクッション組立品の内側との間に配置される。２つの保持リングがあり、その場合、一方の保持リングは、クッション組立品の端部のうちの一方において部分的にクッション組立品の内側に配置され、他方の保持リングは、クッション組立品の端部のうちの他方において部分的にクッション組立品の内側に配置され、その場合、カバーの端部は、各々保持リングとクッション組立品の内側との間に配置され、各リングは、クッション組立品の端部のちょうど外側に配置される面を備える。クッション組立品の端部の各々に近接したクッション組立品の内側から内部に突き出る複数の突起物と、各々突起物を受けるように構築され配列される各リング内の複数の開口とを備える戻り止め組立品がある。
【図面の簡単な説明】
【００１１】
【図１】主題のヘッドバンドを有するヘッドホンを示す図である。
【図２】図１のヘッドバンドのクッション組立品の端部の拡大部分断面図である。
【図３】ヘッドバンドの保持部材の側面図である。
【図４】図１のヘッドバンドのクッション組立品の端部の拡大断面図である。
【図５】クッション組立品の端面図である。
【図６】クッション組立品の斜視図である。
【図７】クッション組立品と、クッション組立品に係合されたスライダとの斜視図である。
【図８】クッション組立品とスライダとの断面図である。
【発明を実施するための形態】
【００１２】
ヘッドバンドのクッション組立品のカバーは、ヘッドバンドがクッション組立品の２つの開口端に挿入される保持部材を使用して張力状態に保たれる可撓性カバーを使用することによって屈曲されるとき、バンチングしたり、またはしわが寄ったりしないように維持することができる。
【００１３】
図１はヘッドホン８を示す。ヘッドホン８は、人の頭部の頭頂部の上に配置されるように構築され配列されるクッション組立品１２を含むヘッドバンド１０を含む。スライダ１４および１６がイヤホン１８および２０を支持する。スライダは、スライダがクッション組立品に出入りして、ヘッドホンが着用者の耳の上、耳の中、または耳を覆って快適に位置することができるようにヘッドバンドの全長を調整することが可能になるやり方でクッション組立品１２と係合する。このヘッドホンの全体の配列は当技術分野で周知である。また、場合により、ヘッドホンをヘッドセットとして使用することができるようにマイクロホン（図示せず）を含めることができる。さらに、一部のヘッドホンまたはヘッドセットは、１つのイヤホンだけを含み、その場合、１つのスライダだけがあり得る。
【００１４】
クッション組立品１２は、好ましくは、全体的に管状である。この配列により、スライダを管の内側上の容積内に受けることが可能になり、配線がクッション組立品の長さに沿って通ることも可能になる。スライダ１４および１６は、部分的にクッション組立品のこの内部容積内に配置される。
【００１５】
クッション組立品１２は、好ましくは、全体的に環状であり、所望の断面形状を有することができる構造管３０を備え、所望の断面形状は、図面に示す非限定例において、全体的に長方形または台形である。しかし、形状は、どちらかというと平らな楕円形など、異なり得る。形状は、頭部上に快適に位置するように設計されるが、スライダと結合し、スライダが構造管３０に出入りすることが可能になる十分な内部室および構造も提供する。構造管３０は内部３１を画定する。管３０は、金属またはプラスチックまたは他の材料で製作することができる。
【００１６】
可撓性カバー３２は、カバーがクッション組立品の外側の少なくとも一部を画定するように、管３０の外側の少なくとも一部の上に配置される。カバー３２は、好ましくは、ただし必ずしもそうとは限らないが、管３０を囲み、好ましくは、ただし必ずしもそうとは限らないが、管３０の全長を延ばす。カバー３２は、頭部上に着用したとき、より快適であるように部分的に管の底部の衝撃を和らげる働きをすることができる。カバー３２は、典型的には、着用者および他者によって見られるクッション組立品の外装の一部または全体を備える点において、審美的目的も有する。カバー３２は、一つには、頭部の上に配置されたとき屈曲することができるように、また、異なる頭部に合うことができるように、クッション組立品１２がその縦軸に沿って屈曲する（曲がる）ことができなければならないので、可撓であることが必要である。場合により、屈曲は、頭部に対してイヤホンを押圧することにも寄与する。
【００１７】
カバー３２は、好ましくは、少なくとも部分的に、４方向伸縮織物と呼ばれることもあるカバーの平面において４つの方向に伸びる織物または別の可撓性基板から製作される。ネオプレンやスパンデックスなどの材料がこの特性を有し、使用することができるが、これらの材料はそれ自体限定ではない。カバーが均一な外観を提供するために、カバーは、クッション組立品が曲げられるまたはねじられるとき、折り畳まない、またはバンチングしないことが望ましい。この目的を達成するために、カバーは、管３０上で伸ばされ、張力状態に保たれるまたは保持されるべきである。伸縮カバーを管３０上で張力状態に保つことができる１つのやり方は、以下の通りである。カバー３２は、管３０の上を滑ることができる管として作製することができる。カバー３２は、その端部が管３０の端部の上に折り畳むことができるように、および管の内側に押し入ることができるように、管３０よりも長くすることができる。端部は、カバーが管３０上に保たれるが、管３０に対して自由に移動もし、その一方で張力状態にも保たれるように、所定の位置に保持される必要がある。この保持は、少なくとも部分的に、管３０の内部端部とカバー３２の端部３４との間に配置される接着剤３５を含めることによって達成することができる。図２参照。接着剤は、構造管３０の内側にカバーの端部を保ち、その一方でカバーは管３０の外側に結合または接続されないので、カバーは、相対的に均一に張力状態に保たれ、管３０の外面に対して自由に浮動またはわずかに移動することができる。クッション組立品が使用時に屈曲されねじられたとき、カバーは４つの方向に伸びることができるので、カバーは張力状態のままであり、したがって、バンチングするまたは折り畳む可能性がより少ない。結果として、カバーは、ヘッドホンが移動され、屈曲され、使用されたとき、均一な外観を維持する。
【００１８】
カバー３２の端部３４は、管３０の環状面３６の上に延びる。保持部材またはスナップリング４０（図３）は、カバーの端部を管３０の内側の所定の位置に保持するのを助けるのに使用することができ、クッション組立品１２の端部においてより完成した外観も提供する。保持部材４０は、管３０の端部の内側にしっかりとはまる形状およびサイズになっている環状本体４４を有する全体的に環状のスナップリングである。保持部材４０は、図４〜図６および図８に示すように、面３６に重なり合うようなサイズおよび形状になっている拡大された環状面部分４２も含む。
【００１９】
保持部材４０は、はめ合い係合機構を保持部材内およびクッション組立品の内側上に含めることによって、管３０内および管３０に対して所定の位置に保つことができ、その場合、機構は、リング４４が適正に管３０の内側に位置するとき、互いに係合する。これらのはめ合い係合機構は、戻り止め組立品を備えることができる。戻り止め組立品は、管３０の内側から内部に突き出るいくつかの突起物と、各々突起物のうちの１つを受けるように構築され配列されるリング４４内のいくつかの開口とを備えることができる。他の周知の種類の戻り止め組立品を代替として使用することができる。
【００２０】
図４に示す非限定例において、管３０は、突起物５２および５４を含み、リング４４は、２つのはめ合い開口４６および４７を含む（図４）。開口４６は、図３に、より詳細に示す。リング４４は、突起物がリング内の開口を貫通し、開口内に位置するまで、リングがこれらの突起物の上に押されるのに十分に屈曲するように、薄いばね鋼などから製作することができる。リング４４の面４２は、管３０の面３６ならびに面３６に重なり合うカバーの一部に重なり合う。結果として、保持部材面４２は、クッション組立品の２つの端部のより完成された外観を提供する。図５および図６参照。
【００２１】
管３０は所望のやり方で構築することができる。例えば、管３０は、押し出しプラスチックまたは金属管であり得る。あるいは、管３０は、２つの部分で、例えば、結果として管の２つの対向する側面に沿った縦方向の継ぎ目となるクラムシェル型構造で製作することができる。クラムシェル型構造の１つの問題は、スナップリングによって印加された外向き圧力が２つの両半分を押して別々にする傾向があることである。このやり方で構築された管のフープ強度は、図６〜図８に示すように、単一環状部材または管の一端または両端におけるクラムシェルの両半分のうちの一方から延びる部分を含めることによって増大させることができる。あるいは、別個の環状部材を管の内側または外側に配置することができる。これらの単一端部部材は、クラムシェル技法によって製作された管内に存在する縦方向の中央継ぎ目を含まないので、端部部材は、クラムシェルが押されて別々にならないように抵抗する助けになる。
【００２２】
クッション組立品１２の構造の１つの非限定例を、図６〜図８に、より詳細に示す。クッション組立品１２は、上記のように、全体的にクラムシェル型構造である構造管３０を備える。管３０は、頂部管部材７０に機械的に結合される底部管部材６０から製作される。底部管部材６０は、カバー保持部材４０を受ける一体型フープまたは環状部材６２を含む。そのようなフープは、管３０の両端に配置して、両方の保持部材を支持することができる。頂部部材７０は、継ぎ目６５において部材７０に当接する部材６２の内部部分の下にあるリップ７１を含む。部材７０が部材６０のはめ合い部分６１と接触する縦方向の継ぎ目６４を図６に示す。管３０を覆い、保持部材４０の面４２の背後で係合されるカバー３２を図７に示す。カバー３２は、折り畳みまたはしわがなく外観が滑らかである。スライダ１６は、イヤホン（図示せず）を担持するヘッドホンヨーク（図示せず）を回転自在に担持する溝部材７４を担持する。ケーブル７２は、オーディオ信号をイヤホンに搬送する。ケーブルループ７３は、スライダ１６がクッション組立品１２に対して出入りすることが可能になる緩みを与える。
【００２３】
いくつかの実装形態を説明してきた。それにもかかわらず、本明細書に説明する発明概念の範囲を逸脱することなく、さらに変更を加えることができ、したがって、他の実施形態は以下の特許請求の範囲内にあることが理解されよう。
【符号の説明】
【００２４】
８  ヘッドホン
１０  ヘッドバンド
１２  クッション組立品
１４、１６  スライダ
１８、２０  イヤホン
３０  構造管
３１  内部
３２  可撓性カバー
３４  端部
３５  接着剤
３６  環状面
４０  スナップリング、保持部材
４２  環状面部分、保持部材面
４４  リング、環状本体
４６、４７  はめ合い開口
５２、５４  突起物
６０  底部管部材
６１  はめ合い部分
６２  環状部材
６４  縦方向の継ぎ目
６５  継ぎ目
７０  頂部管部材
７１  リップ
７２  ケーブル
７３  ケーブルループ
７４  溝部材
【図１】
0006336615.tif 000002
【図２】
0006336615.tif 000003
【図３】
0006336615.tif 000004
【図４】
0006336615.tif 000005
【図５】
0006336615.tif 000006
【図６】
0006336615.tif 000007
【図７】
0006336615.tif 000008
【図８】
0006336615.tif 000009